(57)【要約】  指輪（１、２）のいくつかの対からなるセットが開示されており、それぞれの指輪は１つの浮き彫りにした模様を有し、セットの中の別の１つの指輪と整合させることができるようにされていることを特徴としている。浮き彫りにされた模様は、例えばそれぞれの指輪の端部（１０、２０）に配置されている。指輪はサイズ調節リング（３、４）上に取り付けられ、着用者の指の直径に適合させることができる。個々の指輪の対は、デジタル式に制御された機械のカッティング加工プログラムによって製造される。
2008516653.tif 000002
【特許請求の範囲】
【請求項１】
指輪（１、２）のいくつかの対を有する指輪のセットであって、それぞれの前記指輪は、前記セットの別の１つの指輪に整合できる模様を有し、少なくとも１つの前記指輪（１、２）は、該指輪の直径を装着者の指に適合させるための取替え可能なサイズ調節部材を備えることを特徴とする指輪のセット。
【請求項２】
同じ対の少なくとも２つの整合する指輪は、異なる径のサイズ調節部材上に取り付けられていることを特徴とする請求項１に記載の指輪のセット。
【請求項３】
前記調節部材（３、４）は、２つの整合する指輪（１、２）をサイズ調節部材から外さずに並べることを可能とするように、形成されていることを特徴とする請求項２に記載の指輪のセット。
【請求項４】
少なくとも１つの前記サイズ調節部材（３、４）は、前記指輪（１、２）を前記サイズ調節部材上に滑り嵌めすることによって別の指輪と整合するかどうかをチェックすることを可能にしていることを特徴とする請求項３に記載の指輪のセット。
【請求項５】
前記指輪（１、２）は、前記サイズ調節部材上にねじ止め、圧着、溶接、クリンプ止め、リベット付け、又は糊付けされていることを特徴とする請求項１〜４のいずれか一項に記載の指輪のセット。
【請求項６】
前記指輪（１、２）は内側部を備え、前記サイズ調節部材（３、４）は外側部を備え、前記指輪と前記サイズ調節部材とは、前記内側部と前記外側部とのレベルで互いに強固に一体保持されていることを特徴とする請求項１〜５のいずれか一項に記載の指輪のセット。
【請求項７】
前記サイズ調節部材（３、４）の最大外径は、前記指輪（１、２）の内径より小さいことを特徴とする請求項１〜６のいずれか一項に記載の指輪のセット。
【請求項８】
少なくとも１つのリング状の結合部が、前記サイズ調節部材と前記指輪との間に設けられていることを特徴とする請求項１〜７のいずれか一項に記載の指輪のセット。
【請求項９】
停止部材が、関連するサイズ調節部材の両側部のうちの一方のみから指輪が挿入されるか又は外されるのを防止するのを可能としていることを特徴とする請求項１〜８のいずれか一項に記載の指輪のセット。
【請求項１０】
前記停止部材（３４）は、着脱可能であることを特徴とする請求項９に記載の指輪のセット。
【請求項１１】
前記サイズ調節部材は互いに結合された２つの部分（３、５；４、６；７、８）を有し、前記第１の部分（３、６、７）に結合された第１の停止部材（３１、６１、７１）と前記第２の部分（４、８）に結合された第２の停止部材（４１、８１）との間に前記指輪（１、２）を保持していることを特徴とする請求項１〜８のいずれか一項に記載の指輪のセット。
【請求項１２】
前記指輪（１、２）は、着用されたときに、前記サイズ調節部材（７、８）に対して回転できることを特徴とする請求項１〜１１のいずれか一項に記載の指輪のセット。
【請求項１３】
少なくとも１対の整合する指輪は、同じサイズ調節部材上に同時に取り付けられていることを特徴とする請求項１〜１２のいずれか一項に記載の指輪のセット。
【請求項１４】
少なくとも１つのリングが、中央対応部材（９）として同じサイズ調節部材上に取り付けられていることを特徴とする請求項１〜１３のいずれか一項に記載の指輪のセット。
【請求項１５】
それぞれの前記指輪は、切れ目及び鋭い角度の部分が無い浮き彫り模様（１１、２１）を有して提供され、該浮き彫り模様は、前記指輪が前記セットの別の１つの指輪と嵌合／当接／適応することを可能としていることを特徴とする請求項１〜１４のいずれか一項に記載の指輪のセット。
【請求項１６】
端部（１０、２０）のレベルにおけるそれぞれの前記指輪の径（ｒ）は、同じであることを特徴とする請求項１〜１５のいずれか一項に記載の指輪のセット。
【請求項１７】
前記指輪（１、２）は、一体仕上げであるとともに金属製であることを特徴とする請求項１〜１６のいずれか一項に記載の指輪のセット。
【請求項１８】
前記指輪（１、２）は、デジタル機器の制御の下で切削加工による機械加工で製造されていることを特徴とする請求項１〜１７のいずれか一項に記載の指輪のセット。
【請求項１９】
それぞれの前記指輪（１、２）は、前記指輪、又は前記整合する指輪を再構成するのを可能とするコードが記載された保証書を有して提供されることを特徴とする請求項１〜１８のいずれか一項に記載の指輪のセット。
【発明の詳細な説明】
【技術分野】
【０００１】
本発明は、宝飾品の分野に関し、具体的には指輪の分野、及び機械加工による宝飾品の製造の分野に関する。
【背景技術】
【０００２】
多くの国において、カップルの２人によって着用され、彼らの一体性を象徴するためにデザインされた指輪又は結婚腕輪の習慣が知られている。指輪は、例えば婚約中又は結婚式において交換される。婚約したカップル又は結婚したカップルは、彼らの親密度を示すために同様の又は同一の指輪を選ぶことが多い。しかし、これら指輪は通常独特なものではなく、そのため、それぞれのパートナーは、同じ指輪を選んだ、まったく知らない人であることがほとんどである別の購入者と、少なくとも象徴的には結びついている形となっている。
【０００３】
特許文献１（Ｌ．Ｈ．Ｌｉｅｂｓによる）は、任意の切断線に沿った周囲に沿って、指輪を分割することによって作られた２つの指輪のセットについて記載している。この分割によって作られた２つの指輪は、カップルの２人によって着用されるようにデザインされている。２つの指輪を並べることによって、婚約したカップル又は結婚したカップルは切断線が対応していることを確認することができる。さらに、カップルの２人のサーネーム又はファーストネームを、切断線をまたいで刻印することもできる。
【０００４】
このように、２つの指輪は必然的に同じ直径を有し、薬指の直径が同じであるカップルによって着用され得るが、このような場合はまれである。
【０００５】
また、整合する指輪は、特許文献２にも記載されている。
【０００６】
同じ原理に従って、Ｔｉｅｍａｎｎの特許文献３（Ｐ．Ｔｉｅｍａｎｎによる）は、テーパ部分を有する指輪を分離することによって作られた２つの整合する指輪について記載している。このように、異なる直径を有する２つの整合する指輪を作ることは可能である。小さい直径の指輪の結合部分はフレア状になっており、あまり美的ではない。さらに、２つの関連する指輪の直径は、製造後にはもはや修正することができない。よって、この物を在庫に持つことを望む宝飾店主は、多くの可能性のあるサイズの組み合わせの形で整合する指輪を提供しなければならない。
【特許文献１】米国特許第１７５８４４７号明細書
【特許文献２】独国特許発明第２９８１４７７７号明細書
【特許文献３】独国特許発明第８７０４２３０号明細書
【発明の開示】
【発明が解決しようとする課題】
【０００７】
本発明の１つの目的は、この伝統を更新することを可能とする指輪及び指輪のセットを提供することである。
【０００８】
別の目的は、多くのカップルの指の直径に合わせることができる整合する指輪のセットを提供することである。
【課題を解決するための手段】
【０００９】
本発明によれば、これら目的は、従属請求項に示されている好ましい実施形態とともに、第１請求項の特徴を有する指輪のセットによって特に達成される。
【００１０】
これら目的は、特に数対の指輪を有するセットによって達成され、それぞれの指輪は前記セットの別の１つの指輪と整合することができる模様を有している。少なくとも１つの指輪は、その直径を着用者の指の直径に合わせるための取替え可能なサイズ調節器を有している。
【００１１】
よって、本発明は、それぞれのカップルのパートナーを一体化する独特な関係が、より強い方法で抽象化されることを可能としている。カップルのそれぞれの構成員は、その指輪の整合する模様によってそのパートナーと実際に結合され、他の指輪がその人の指輪と整合することはあり得ない。このように、整合する２つの指輪は独特のカップルを形成し、整合する模様を壊さないで指輪のカップルを置き換えることはできない。
【００１２】
サイズ調節器は、サイズ調節器に装着することができる標準的な直径の指輪の対を機械加工し、その直径を着用者の指に合わせることを可能とする。
【００１３】
このような指輪の直径のサイズ調節器は既知である。しかし、既知のタイプのサイズ調節器は、対の整合する指輪に適した多種多様なものであり、特に、様々な整合する形状は、標準的なサイズ調節器の上への指輪の対のアセンブリを困難に、若しくは不可能にさえしてしまう。
【００１４】
２つの整合する指輪の模様は同一である必要は無く、好ましい実施形態においてはそれらは相違しており、それぞれの指輪は独特であり、個々の模様を設けられている。しかし、指輪のカップルの２つの指輪の模様は、それらが整合していることをチェックできるように互いに対応している。１つの実施形態においては、指輪のカップルの２つの指輪の模様は、一方が他方に対して逆になっている。
【００１５】
本発明の１つの実施形態においては、指輪のカップルの２つの整合する指輪は互いに噛み合うか、又は一方が他方に当接する浮き彫りの模様を設けられているが、それぞれの模様は個別のものであって、指輪は同じ対の整合する指輪にだけ噛み合うことができる。
【００１６】
好ましくは２つの指輪の整合は、例えば同じ指の上に、又は同じサイズ調節指輪の上に滑り嵌めされる等、２つの指輪が同軸に重ねられたときに、視覚的に確認ことができる。この位置においては、２つの整合する指輪の外形は互いに対応するか、又は２つの指輪の一方が他方に当接することを可能としている。
【発明を実施するための最良の形態】
【００１７】
本発明は、図面に示された実施形態の例を読むことによってより良く理解される。
【００１８】
図１Ａは１対の整合する指輪を図示しており、例えばすべてが互いに異なる指輪のいくつかの対を有するセットに属している。図示した対は２つの指輪１，２を含み、それぞれの指輪は互いに対応する外形１１，２１を有する端部１０，２０を有して設けられている。指輪１，２は、好ましくは例えば貴金属の金属からなる単一体であるが、本発明はこの特定の選択に限られるわけではない。指輪はいかなる形状とすることも可能であり、とりわけその外側部１５，２５に、経歴又は他の模様若しくは飾りを有して設けることができる。
【００１９】
２つの外形１１，２１は、一連の凸部１１０，２１０と一連の凹部２２２，２１１とから構成されている。図示した実施形態においては、外形１１，２１は、例えば指輪の中心に対する角度位置に対応する１つの変数Θの一次元の関数ｆ（Θ）によって形成されている。また、例えば指輪の中心への距離に依存する多次元の外形も考えられる。例えば、指輪の周囲に沿って変化する傾斜角を有する傾斜のついた端部１０，２０を使用することも可能である。
【００２０】
それぞれの指輪の端部の浮き彫りされた模様は独特である。例えば、凸部又は凹部の数、これら部分の幅又は高さ、及びこれら部分の形は変えることができる。プロトタイプは、外形寸法における１０分の１ミリメータのオーダの違いでさえ、当接部の間に認知できる遊びを生じ、可能な組み合わせの数を実際には無限にするということを示してきた。しかし、選択された外形には、好ましくは途切れが無く、指輪の装着者を傷つけてしまうような、また不純物を蓄積しそうな鋭い角度は無い。
【００２１】
２つの指輪２、３の整合は、図１Ｃ及び１Ｄに示すように、２つの指輪が同軸に重ね合わせられた時に容易に確認することができる。この位置では、外形１１、２１によって、２つの指輪が互いに当接することができ、両方の指輪の整合する模様は互いに遊び無く、パズルの２つの部分のように嵌合し合う。このように２つの外形１１、２１は同一ではないが、互いに対して逆である。
【００２２】
また、指輪はそれらの外側１５、２５又は内側に整合する模様を有して設けられる。例えば、指輪は、図１Ｃ及び１Ｄに示すように、２つの指輪が重ね合わせられた時に判読することができる、再構成された銘刻、描画、又は浮き彫り模様を備えることができる。別の実施形態においては、２つの指輪の間の整合はまた、２つの指輪を互いに対して並べることによって、例えば両方の指輪の外表面１５、２５の部分を互いに対して押し付けることによって作ることができる。この実施形態によって、２つの指輪の整合を２人のパートナーの指から指輪をはずすことなく確認することが可能となる。また、同じ装着者が２本の隣り合う指に、この方法で２対の整合する指輪を装着することも可能である。また、１つの指輪が、そのいくつかの別個の表面に、１つの、若しくはいくつかの整合する模様を有することもできる。
【００２３】
別の実施形態において、２つの指輪の整合は、小さい指輪の外側を大きい指輪の内側に対応させることによって確認することができる。しかし、この解決法はカップルの２つの指輪の間の直径の違いが十分である場合にのみ考え得ることである。
【００２４】
指輪１、２は、それぞれのカップルのために、彼らの指の直径によって、また使用される独特の外形を決定する少なくとも１つのパラメータを使用することによって誂えて作ることができる。１つの好ましい実施形態において、標準的な直径の指輪の対は前以って作られ、特定されない使用者に売られるためにデザインされる。この場合、全ての指輪は好ましくは端部１０、２０のレベルに等しい半径ｒを有している。このように、それらの整合はより容易に確認することが可能である。しかし、２つ若しくはいくつかの標準的な指輪の直径を有する指輪のセットもまた考えることができる。この場合、対の中で対応する異なる直径の指輪の外形を有することもまた可能である。
【００２５】
図１Ａ〜１Ｅに図示された様々な実施形態は、指輪１、２の内径を着用者の指に合わせるためにサイズ調節リング３、４を使用している。サイズ調節リング３、４は外側の指輪１、２の内側に挿入され、例えばプレス、クリンプ、ビレット止め、ねじ止め、クリッキング、溶接又は糊付けによって保持される。このようにして、指輪１、２の対を求めるカップルは固有の浮き彫り模様１１、２１とそれに合う一般的な模様とを有する標準的な半径の１対の指輪を選び、次いで２人両方の指の直径に従った内側半径のサイズ調節リングによって両方の指輪１、２の半径を小さくする。サイズ調節リングの縮小態様によって、好ましくは指輪が最小の工具細工で宝飾店に取り付けられ、サイズ合せの間に指輪の外観が損なわれる危険を軽減することを可能としている。サイズ調節リング３、４には、停止部材３１、４１を設けることができ、緩んでしまう危険を軽減し、完全な指輪の仕上げを改善する。
【００２６】
図２Ａ及び図２Ｂは本発明の別の実施形態を示し、それぞれの指輪の個々の模様は雄要素１２及び／又は雌要素２２を備えている。一方の指輪の雄ピン１２は、他方の指輪の雌めくら穴２２にのみ挿入される。
【００２７】
雄要素及び対応する雌要素の数、角度位置、形、及び／又は深さは、整合する指輪のそれぞれの対に対して独特であり、一方の指輪の雄要素は整合する指輪の雌要素にのみ挿入される。
【００２８】
図示された例においては、すべてのピン１２は指輪１（例えば男性の指輪）に配置され、穴２２はすべてが他方の指輪２に配置されている。しかし、穴及びピンを両方の指輪に分散することもまた自然である。さらに、端部１０、２０が個性化されていない指輪、例えば両端部が同一の平坦な形状を有する指輪に、ピン又は別のタイプの雄要素及び雌要素を使用することが可能である。
【００２９】
図３Ａ〜３Ｆは本発明の様々な実施形態を示しており、指輪のカップルの２つの指輪１、２は、リング全体に亘って互いにねじ止めされる２つのねじ溝部分が設けられたサイズ調節リング３、５及び４、６に装着されている。参照符号３０、４０、５０、６０は、異なる部分の内側又は外側のねじ溝を図示している。指輪１、２は、好ましくは第１の部分３、６に接続された第１の停止部材３１、６１と第２の部分４、５に接続された第２の停止部材４１、５１との間で回転することができ、停止部材は指輪１、２の横方向の変移を規制している。この変型は、外形を描かれた側面１０、２０と装着者の皮膚との間の接触を回避するという利点を有し、よって、怪我をする危険無しに先の鋭い外形を使用することを可能とする。さらに、サイズ調節リングに指輪を取り付けること又はサイズ調節リングから指輪を外すことを容易にする。
【００３０】
図４Ａ及び図４Ｂは本発明の様々な実施形態を示し、同じ対の２つの整合する指輪１、２は同じ指に装着され、同じサイズ調節リングに装着される。ここで、サイズ調節リングは、ねじ溝７０、８０によって互いに結合された２つの部分７、８から構成されている。この解法は、例えば結婚相手をまだ探している単身者のため、又は亡くなった配偶者の遺品を保持したいと願う妻を失った男性／未亡人のために適切である。１つの実施形態においては、２つずつが同一であるが、例えば色が異なるか、又は材料が異なる外形１１、１２を有する２対の指輪１、２を作ることもまた可能である。婚約中又は結婚のため、２人のパートナーは指輪の対の一方の要素を交換し、２色の、又は２つの金属からなる完全な対を再構成し、同じ指に装着することができる。よって、この場合、それぞれの指輪は１セットの内の２つの指輪に整合する。
【００３１】
図５Ａ〜図５Ｃは本発明の様々な実施形態を示しており、それぞれの指輪１、２はここでは２つの部分からなる指輪である結合指輪７、８及び７’、８’上に中央の対応リング９、９’を有して装着されている。指輪１、２は独特であり、それぞれに独特な形状を有して設けられている。しかし、対応リング９、９’は相互に交換可能であり、限られた数の実施形態に存在している。この解法は、例えば、この対の両方の指輪を装着できるようにするサイズ調節リングを有する図４の対の指輪を購入する一人の人に適用される。結婚相手となる人に出会ったとき、指輪の半分は適切なサイズ調節リングを有して贈られ、贈られた半分の指輪は標準的な９、９’によって置き換えられる。
【００３２】
図６Ａ〜図６Ｂは本発明の実施形態を示し、２つの指輪１、２は非円形状、ここでは正方形状の外形を有している。指輪は、外形が指輪１、２の内部形状に合致し、中心の穴が装着者の指に適用される直径に合致するサイズ調節リングの周りに装着される。風変わりな形状又は石を有して設けられた指輪を含む他の指輪の形状は、本発明の範囲内と考えられる。
【００３３】
図７Ａ〜図７Ｄは本発明の実施形態を示し、対の２つの指輪１、２は対応するサイズ調節リング上にねじで装着されている。Ｏリング３２、４２は、指輪とサイズ調節リングとの間に配置され、指輪を外すために必要とされるトルクを制御している。それぞれのサイズ調節リング上の環状の停止部材は、指輪がサイズ調節リングの側面の一方に挿入されるか、又はサイズ調節リングの側面の一方から抜き取られるのを防止する。
【００３４】
図８Ａ〜図８Ｆは本発明の実施形態を示し、整合する対のうちの少なくとも一方の指輪１は、対応するサイズ調節リング３の上に滑り嵌めの態様で取り付けられている。指輪１の内側停止部材１６は、２つの指輪が一緒に動く方向の変移の量を制限している。取り外し可能な別の停止部材３４は、サイズ調節リング３の上にねじ止めされており、反対方向への変移の量を制限する。停止部材３４は、指輪１をそのサイズ調節リングに組み合わせるか、又は取り外すために、取り外すことができる。さらに、Ｏリング３２によって、指輪とサイズ調節リングとの間の摩擦係数を制御することが可能となり、望ましくない変移を回避することができる。指輪は、図８Ａ、図８Ｄ，及び図８Ｆにクローズドポジションで示され、図８Ｂ，図８Ｅ，及び図８Ｃにオープンポジションで示されている。オープンポジションは、Ｏリングが隠れていて、装着者が毎日装着するように使用される。指輪１は、他の指輪に整合するかどうかを確認するためにクローズドポジションに動かされる。
【００３５】
対の２つの個々の指輪は、好ましくは同時に、例えば同じ宝飾点において売却される。売却されたとき、２つの指輪は好適な包装、箱、又は陳列ケースによって互いに結合することができ、対の２つの指輪が互いから分離され、セットの別の合致しない指輪の中に混入する危険を制限している。１つの実施形態において、２つの指輪１、２は、例えば蝋又は別の洗浄しやすい糊によって、又は分離される帯域によって、互いに機械的に結合されている。次いで、指輪が交換されたとき、２人のパートナーはこの結合を分かち、パートナーそれぞれが装着する２つの指輪に分離する。
【００３６】
また、それぞれの指輪を、対応する指輪のパートナーを容易に見つけられるように、数字又は記号を有して提供することも可能である。同じ対の２つの整合する指輪は、例えばそれらを区別することを可能とする文字若しくは情報要素によって完成された同じ記号を担持することができる。数字又は記号は、例えば指輪の内側に彫る、又は指輪の一部分若しくはラベルの上に非永久的にマークすることができる。好ましい実施形態においては、記号は、購入者に与えられるか又はデータベース内に保存される保証書に示され、関連する指輪がなくなった場合でさえ再び見つけることができるようにされる。記号は、好ましくは指輪の個人的外形１１、２１の整合するパラメータを含むか、又はいかなる場合でもこれらパラメータを回復することを可能とする。このように、この数字又は記号から失くした指輪をいつでも再び製造すること、又は前の指輪との互換性を失うことなくより現代的な指輪に置き換えることが可能となる。
【００３７】
本発明の１つの変型の実施形態において、それぞれの指輪の個々の模様は、標準的な指輪の上に取り付けられた独特で直接固定された部分によって構成することができる。このように、２対２が整合し、異なる指の直径に適用された様々な直径の指輪の上に何らかの手段によって固定された個々の部分の対を製造することが可能である。
【００３８】
記載されてきたように、本発明の指輪又は宝飾品は、好ましくはカットのプログラムを実行するデジタル的な制御機械によって作られる。カットのプログラムはそれぞれの連続する宝飾品１、２の個々の外形を決定し、それぞれの宝飾品は単独に、別に生産された宝飾品に整合することを可能とする浮き彫り模様を備える。それぞれの宝飾品の対のために生成される外形１１、２１は、宝飾品のそれぞれに対して異なるカットプログラムの少なくとも１つのパラメータに依存する。連続するパラメータが、例えば、半不規則的な数字の生成装置が異なる数字の十分な、若しくは無限な数列を生成し、又は互いに異なる数字の前以って決められた表から、又は製造の日付及び時間のような数学的数列によって生成される。１つの変型の実施形態において、対の外形１１、２１は、例えばカップルの２人の名前及び／又は彼らの誕生日及び／又は星座及び祖先等の、それぞれのペアだけが同一であることを許容するパラメータによって決められている。しかし、この変数は、これらのパラメータが、宝飾品又は宝飾品の個人的に誂えられた模様が製造される前に知られている必要がある、ということを意味している。
【００３９】
また、宝飾品は、パラメータの異なる順序を有する同じカットプログラムを使用するいくつかのカット機によって作ることができる。例えば、異なる機械は、それぞれの機械で異なる値（シード）で初期化された同一の半不規則的な数字の生成機を使用することができる。
【００４０】
上述の説明は２人のパートナーから形成されるカップルによって装着される指輪に体系的に関している。また、本発明の外延内において、２人以上の人のグループによって装着され、すべてのメンバーの指輪が互いに整合するようにデザインされた指輪を考えることが可能であることは明白である。また、２つ以上の整合する模様、例えばそれぞれの端部の模様を有する指輪を考えることも可能である。さらに、一夫多妻又は一妻多夫の場合など、独特な指輪をいくつかの互換性のある指輪、互いに同一な指輪、又は互いに異なる指輪に整合させることもまた可能である。
【図面の簡単な説明】
【００４１】
【図１Ａ】直径のサイズ調節リングの上に装着された２つの整合する指輪の両方を示す図であり、両方の指輪は一連の凸部及び凹部を備える浮き彫り模様を有している。
【図１Ｂ】直径のサイズ調節リングの上に装着された２つの整合する指輪の両方を示す図であり、両方の指輪は一連の凸部及び凹部を備える浮き彫り模様を有している。
【図１Ｃ】直径のサイズ調節リングの上に装着された２つの整合する指輪の両方を示す図であり、両方の指輪は一連の凸部及び凹部を備える浮き彫り模様を有している。
【図１Ｄ】直径のサイズ調節リングの上に装着された２つの整合する指輪の両方を示す図であり、両方の指輪は一連の凸部及び凹部を備える浮き彫り模様を有している。
【図１Ｅ】直径のサイズ調節リングの上に装着された２つの整合する指輪の両方を示す図であり、両方の指輪は一連の凸部及び凹部を備える浮き彫り模様を有している。
【図２Ａ】互いに噛み合う雄及び／又は雌の要素を備える、浮き彫り模様を有する１対の整合する指輪の図である。
【図２Ｂ】互いに噛み合う雄及び／又は雌の要素を備える、浮き彫り模様を有する１対の整合する指輪の図である。
【図３Ａ】２つの部分からなる直径サイズ調節リングの上に装着された２つの整合する指輪の対のうちの一方の図である。
【図３Ｂ】２つの部分からなる直径サイズ調節リングの上に装着された２つの整合する指輪の対のうちの他方の図である。
【図３Ｃ】２つの部分からなる直径サイズ調節リングの上に装着された２つの整合する指輪の対のうちの一方の図である。
【図３Ｄ】２つの部分からなる直径サイズ調節リングの上に装着された２つの整合する指輪の対のうちの他方の図である。
【図３Ｅ】２つの部分からなる直径サイズ調節リングの上に装着された２つの整合する指輪の対のうちの一方の図である。
【図３Ｆ】２つの部分からなる直径サイズ調節リングの上に装着された２つの整合する指輪の対のうちの他方の図である。
【図４Ａ】両方が同じ直径のサイズ調節リングの上に装着された、２つの整合する指輪の対の図である。
【図４Ｂ】両方が同じ直径のサイズ調節リングの上に装着された、２つの整合する指輪の対の図である。
【図５Ａ】図示されない指輪と揃いとすることができる模様を有し、中央の相手側部品を有するサイズ調節リングに取り付けられた指輪の図である。
【図５Ｂ】図示されない指輪と揃いとすることができる模様を有し、中央の相手側部品を有するサイズ調節リングに取り付けられた一方の指輪の図である。
【図５Ｃ】図示されない指輪と揃いとすることができる模様を有し、中央の相手側部品を有するサイズ調節リングに取り付けられた他方の指輪の図である。
【図６Ａ】円形ではない整合する２つの指輪の対の図であって、両方の指輪は直径サイズ調節リングの上に装着されるとともに、両方の指輪は一連の凸部と凹部とを備える浮き彫り模様を有している。
【図６Ｂ】円形ではない整合する２つの指輪の対の図であって、両方の指輪は直径サイズ調節リングの上に装着されるとともに、両方の指輪は一連の凸部と凹部とを備える浮き彫り模様を有している。
【図６Ｃ】円形ではない整合する２つの指輪の対の図であって、両方の指輪は直径サイズ調節リングの上に装着されるとともに、両方の指輪は一連の凸部と凹部とを備える浮き彫り模様を有している。
【図７Ａ】直径サイズ調節リングの上にねじ止めされた１対の整合する指輪の一方の図である。
【図７Ｂ】直径サイズ調節リングの上にねじ止めされた１対の整合する指輪の一方の図である。
【図７Ｃ】直径サイズ調節リングの上にねじ止めされた１対の整合する指輪の他方の図である。
【図７Ｄ】直径サイズ調節リングの上にねじ止めされた１対の整合する指輪の他方の図である。
【図８Ａ】１対の指輪の他方の指輪に整合するようにデザインされた一方の指輪の図であり、直径サイズ調節リングに滑動の方法で装着され、取り外すこと無しにそれらが揃いであることをチェックすることを可能としている。
【図８Ｂ】１対の指輪の他方の指輪に整合するようにデザインされた一方の指輪の図であり、直径サイズ調節リングに滑動の方法で装着され、取り外すこと無しにそれらが揃いであることをチェックすることを可能としている。
【図８Ｃ】１対の指輪の他方の指輪に整合するようにデザインされた一方の指輪の図であり、直径サイズ調節リングに滑動の方法で装着され、取り外すこと無しにそれらが揃いであることをチェックすることを可能としている。
【図８Ｄ】１対の指輪の他方の指輪に整合するようにデザインされた一方の指輪の図であり、直径サイズ調節リングに滑動の方法で装着され、取り外すこと無しにそれらが揃いであることをチェックすることを可能としている。
【図８Ｅ】１対の指輪の他方の指輪に整合するようにデザインされた一方の指輪の図であり、直径サイズ調節リングに滑動の方法で装着され、取り外すこと無しにそれらが揃いであることをチェックすることを可能としている。
【図８Ｆ】１対の指輪の他方の指輪に整合するようにデザインされた一方の指輪の図であり、直径サイズ調節リングに滑動の方法で装着され、取り外すこと無しにそれらが揃いであることをチェックすることを可能としている。
【符号の説明】
【００４２】
１、２・・・指輪
３、４、７、８・・・サイズ調節リング
５、６・・・部分停止部材
９・・・中央対応部材
１０、２０・・・端部
１１、２１・・・浮き彫り模様
３１、３４、４１、６１、７１、８１・・・停止部材
【図１Ａ】
2008516653.tif 000003
【図１Ｂ】
2008516653.tif 000004
【図１Ｃ】
2008516653.tif 000005
【図１Ｄ】
2008516653.tif 000006
【図１Ｅ】
2008516653.tif 000007
【図２Ａ】
2008516653.tif 000008
【図２Ｂ】
2008516653.tif 000009
【図３Ａ】
2008516653.tif 000010
【図３Ｂ】
2008516653.tif 000011
【図３Ｃ】
2008516653.tif 000012
【図３Ｄ】
2008516653.tif 000013
【図３Ｅ】
2008516653.tif 000014
【図３Ｆ】
2008516653.tif 000015
【図４Ａ】
2008516653.tif 000016
【図４Ｂ】
2008516653.tif 000017
【図５Ａ】
2008516653.tif 000018
【図５Ｂ】
2008516653.tif 000019
【図５Ｃ】
2008516653.tif 000020
【図６Ａ】
2008516653.tif 000021
【図６Ｂ】
2008516653.tif 000022
【図６Ｃ】
2008516653.tif 000023
【図７Ａ】
2008516653.tif 000024
【図７Ｂ】
2008516653.tif 000025
【図７Ｃ】
2008516653.tif 000026
【図７Ｄ】
2008516653.tif 000027
【図８Ａ】
2008516653.tif 000028
【図８Ｂ】
2008516653.tif 000029
【図８Ｃ】
2008516653.tif 000030
【図８Ｄ】
2008516653.tif 000031
【図８Ｅ】
2008516653.tif 000032
【図８Ｆ】
2008516653.tif 000033
【国際調査報告】
2008516653.tif 000034
2008516653.tif 000035
2008516653.tif 000036
2008516653.tif 000037
2008516653.tif 000038
2008516653.tif 000039